(57)【要約】      （修正有）【課題】宣伝・販促品として安価に提供でき、繰返し利用もでき、不要になって処分する際も分別の煩わしさを気にせず簡単にリサイクルでき、しかも、地球の環境保全にも貢献する扇子を提供する。【解決手段】素材シートに、切取用の打抜線が付いており、周囲の余分な部分は簡単に切取ができる。本体を半折罫線に従い谷折り・山折りして交互に重ね合わせるだけで、容易に組み立てることができ、本体の表裏スペースに広告印刷をし、広告効果をあげ、さらにくじ・クーポンでその効果を一層向上させる広告媒体となる。扇子としての展開動作に迷いは生じず、簡単に操作でき繰返しの利用にも耐えうる。最終的に不要となり処分する際は分別を気にする事もなく簡単に処分できる、この上ない安価なエコ扇子の提供が可能となる。【選択図】図６
0003176563.tif 000002
【実用新案登録請求の範囲】
【請求項１】
広告の媒体として利用でき、構成部品は1片の板紙等を谷折り、山折りにした物を組み合わせ、かつ扇の開閉が容易にできる事を特徴とした、涼をとるための扇子である。
【請求項２】
請求項１記載の扇子において、構成部品の組み合わせ部に柄としての機能をもった事を特徴とする扇子である。
【請求項３】
請求項１記載の扇子において、最端部にくじ・クーポンを付帯させる事を特徴とする扇子である。
【考案の詳細な説明】
【技術分野】
【０００１】
本考案は低コストで広告・販促に活用でき、涼をとるための道具としても繰返し利用でき、不要になった時にはリサイクル可能な扇子に関するものである。
【背景技術】
【０００２】
昔から涼を簡単にとるために利用されてきた扇子であるが、竹を骨組みとした従来の作り方ではコストがかかり、安価に簡便な宣伝・販促に利用するには問題があった。
【考案の概要】
【考案が解決しようとする課題】
【０００３】
紙を使った簡易扇子は従来色々考案されてきているが、開閉の簡便さやその扇子としての本来の効用及び利用の繰返しにおける耐用性はいま一つであった。すなわち、開閉する際の操作方法を誤ると構成部品がバラバラになったり、柄の部分が短ければ利用動作には組合せ部を一点で握らなければならず、また処分時にはそれなりの分別作業が必要であった
【０００４】
本考案は、このような問題点を解消するためになされたもので、扇状に開いた平面への印刷だけでなく、最端部にくじ・クーポン部を作る事で、広告媒体の広告・販促価値を高めることで、その広告効果は一層向上する。
【課題を解決するための手段】
【０００５】
請求項１に係る本考案は、板紙、樹脂等素材シートの平面に、型抜きにより構成される部品を組合せて作られており、一定方向への開閉はスムーズに行え、逆方向へ開こうとすれば、逆回転防止の突起でそれを阻止することで開閉動作を誤ることなく容易に行える事を特徴とする。
【０００６】
請求項２に係る本考案は、請求項１記載の扇子の組合せ部の位置に下部の余裕を設ける事で、その下部を柄として使える事を特徴とする。
【０００７】
請求項３に係る本考案は、請求項１の扇子において、最端部にくじやクーポンの部分を付帯する事で宣伝・販促効果を一層拡大する事を特徴とする。
【考案の効果】
【０００８】
昔ながらの扇子を広告・販促用品として利用するのに、コストを下げる工夫として紙等を使用し、かつ繰返し使用しても構成部品がバラ付かず、さらにくじやクーポンとしての利用もできるので宣伝・販促効果が向上する。不要となり処分される時はリサイクルが簡単にできる、地球環境に優しい宣伝・販促用品である。
【図面の簡単な説明】
【０００９】
【図１】本考案の扇子の部品１の平面展開図
【図２】本考案の扇子の部品２の平面展開図
【図３】本考案の扇子の部品３の平面展開図
【図４】本考案の部品組み立ての図１
【図５】本考案の部品組み立ての図２
【図６】本考案の組み立て後展開図
【考案を実施するための最良の形態】
【００１０】
以下、本考案を図面に基づいて説明する。 図１は本考案の扇子の部品の平面展開図である。
素材である板紙や樹脂等を容易に切り取りができるように図形に沿って打抜き処理が施されている。Ｅは本考案の重要なポイントである。図２、図３も同じく、本考案の部品である。Ａ・Ｂ、Ｃ・Ｄ、Ｉ・Ｊ、Ｋ・Ｌ、Ｎ・Ｎは組立作業を容易にするため型押し（半切折込罫線）処理がされている。部品の大きさには特に基準を設けないが、扇子として携帯する事を考慮して適宜判断すればよい。以上の構成からなる扇子である。
【００１１】
次に組み立て要領の説明をする。素材シートの打ち抜きに従い、図1の部品を切抜く。次にＡ・Ｂの谷折りの半切り折込罫線に従い二つ折りにする。同様にＣ・Ｄを山折りに二つ折りにする。これらの部品は３個から５個用意し、各部品の谷折り部と他の部品の山折り部が交互に重なるように各部品を重ね合わせる。重ね合わせる方法は、谷折り部の折り返した部分の下へ、山折り部を入れるようにする。図４参照。個数については部品上端の幅に応じて適宜判断する。図5はその組立完成図。Ｅの突起がCからのぞいている事がポイントである。図５の組み立ての上に、図２の部品も切り抜き、Ｉ・Ｊを谷折り、K・Lを山折りし、Ｋ・Ｌの山折り部と下の部品の谷折り部が交互に重なるように置く。さらにそれらの一番下に、図3の部品を切り抜いて、M・Nを谷折り、O・Pを山折りにした物を同様に重ねる。F部をくり抜いて、ハトメで固定すれば扇子の完成となる。
【００１２】
組みあがった扇子を上から右方向へスライドさせていけば扇の展開が可能となる。反対方向へスライドさせると、Ｅの突起がストッパーとなり展開できない。従来の考案の場合、展開する方向を誤れば各部品がバラバラになっていたが、このストッパーでバラバラになる事が防止される事になる。組みあがった部品を展開すると図６、となる。展開された図６のG部がくじ・クーポンに使う部分である。くじ・クーポンとして利用した後、切り取っても扇子としての機能は維持されている。
【００１３】
扇子として展開された平面は従来の扇子同様いろいろな広告物を印刷したりすることも可能であるし、表裏に別々な意匠を印刷する事も簡単にできる。香料インクを使うと匂い付きの扇子にもなる。
【００１４】
不要になれば、原材料が紙なので分別する煩わしさもなくそのまま処分することもでき、非常にエコな広告媒体として利用可能である。ハトメを紙製にすると一層分別の煩わしさがなくなる。
【実施例】
【００１５】
実際の実施例は、素材についてはその他段ボール紙等でもよいし、重量を気にしなければ、他の素材でも応用できる。板紙、発泡スチロール紙、段ボール紙、ポリエチレン紙等さまざまな素材が対象となり、扇子として適する素材を採用すればよい。
【符号の説明】
【００１６】
Ａ.    部品1の谷折り基点部
Ｂ.    部品１の谷折り基点部
Ｃ.    部品1の山折基点部かつストッパー受け部
Ｄ.    部品1の山折基点部
Ｅ.    ストッパー突起
Ｆ.    部品固定のハトメ部
Ｇ.    くじ・クーポン印刷部
Ｈ．   扇子の柄
Ｉ.    部品２の谷折り基点部
Ｊ．   部品２の谷折り基点部
Ｋ．   部品２の山折り基点部
Ｌ.    部品２の山折り基点部
Ｍ      部品３の谷折り基点部
Ｎ      部品３の谷折り基点部
Ｏ      部品３の山折り基点部
Ｐ      部品３の山折り基点部
【図１】
0003176563.tif 000003
【図２】
0003176563.tif 000004
【図３】
0003176563.tif 000005
【図４】
0003176563.tif 000006
【図５】
0003176563.tif 000007
【図６】
0003176563.tif 000008
【手続補正書】
【提出日】平成24年4月12日(2012.4.12)
【手続補正１】
【補正対象書類名】実用新案登録請求の範囲
【補正対象項目名】全文
【補正方法】変更
【補正の内容】
【実用新案登録請求の範囲】
【請求項１】
扇状の板紙・樹脂シートを素材とし、その右辺を谷折り、左辺を山折にした構成部品を上下に数枚重ね合わせ、その重なる部分は上の部品の山折り部の中に下の部品の谷折り部が交互に重なるようになっており、重ね合わせた扇の要の部分をハトメで固定した、扇子の開閉が容易にできる事を特徴とする、広告の媒体として利用でき、涼をとるための扇子。
【請求項２】
請求項１記載の扇子において、扇の要の部分の下部を下方へ長めにすることで、扇子の柄としての機能を充実させる事を特徴とする扇子。
【請求項３】
請求項１記載の扇子において、最端部にくじ・クーポンを付帯させることを特徴とする扇子。